(57)【特許請求の範囲】
【請求項１】
２つのベアラチャネルと１つのデータチャネルからなるＩＳＤＮ基本インタフェース回線を接続するライン回路を有し、前記２つのベアラチャネルと前記１つのデータチャネルからなるＩＳＤＮ基本インタフェースを単位として、複数のＩＳＤＮ基本インタフェースによって接続制御するＩＳＤＮ交換機において、
予め定められた順序でベアラチャネルが配列されており、同一データチャネルで制御される一群のベアラチャネルの先頭位置には、該データチャネルと同一基本インタフェースのベアラチャネルを配置すると共にデータチャネルが使用されることを示す情報を格納し、後続位置には前記データチャネルで制御されるベアラチャネルを配置することで、１つのデータチャネルとこれに制御される２つを越えるベアラチャネルとの関係を示す通話チャネルデータテーブルを格納する記憶装置と、
前記ＩＳＤＮ基本インタフェース回線によってベアラチャネルの接続制御をする際に、前記通話チャネルデータテーブルを参照して、当該ベアラチャネルの接続制御を行うデータチャネルを認識し、当該データチャネルにより前記ベアラチャネルの接続制御を行う接続制御手段と、を設け、
１つのデータチャネルで２つを越えるベアラチャネルを制御することを特徴とするＩＳＤＮ交換機におけるデータチャネル制御方式。
【発明の詳細な説明】
【０００１】
【発明が属する技術分野】
本発明は、ＩＳＤＮ交換機におけるＩＳＤＮ基本インタフェースに基づくライン回路と、外部付加装置との接続の制御方式に関する。
【０００２】
【従来の技術】
従来、ＩＳＤＮ交換機では、２つのベアラチャネルと１つのデータチャネルからなるＩＳＤＮ基本インタフェース回線を接続するライン回路により外部付加装置と接続し、その１つのデータチャネルによって２つのベアラチャネルを制御することで、当該外部付加装置と接続していた。
【０００３】
【発明が解決しようとする課題】
しかしながら、上記のような従来の方式では、前記ＩＳＤＮ基本インタフェースに従わない外部付加装置、例えば１つのデータチャネルで２つを越えるベアラチャネルを制御する様な装置との接続はできなかった。
【０００４】
本発明は、複数のＩＳＤＮ基本インタフェースから構成されるライン回路の制御方式を変えることによって、１つのデータチャネルで２つを越えるベアラチャネルを制御可能にすることを課題とする。
【０００５】
【課題を解決するための手段】
上記の課題を解決するために本発明は、２つのベアラチャネルと１つのデータチャネルからなるＩＳＤＮ基本インタフェース回線を接続するライン回路を有し、前記２つのベアラチャネルと前記１つのデータチャネルからなるＩＳＤＮ基本インタフェースを単位として、複数のＩＳＤＮ基本インタフェースによって接続制御するＩＳＤＮ交換機において、予め定められた順序でベアラチャネルが配列されており、同一データチャネルで制御される一群のベアラチャネルの先頭位置には、該データチャネルと同一基本インタフェースのベアラチャネルを配置すると共にデータチャネルが使用されることを示す情報を格納し、後続位置には前記データチャネルで制御されるベアラチャネルを配置することで、１つのデータチャネルとこれに制御される２つを越えるベアラチャネルとの関係を示す通話チャネルデータテーブルを格納する記憶装置と、前記ＩＳＤＮ基本インタフェース回線によってベアラチャネルの接続制御をする際に、前記通話チャネルデータテーブルを参照して、当該ベアラチャネルの接続制御を行うデータチャネルを認識し、当該データチャネルにより前記ベアラチャネルの接続制御を行う接続制御手段と、を設け、１つのデータチャネルで２つを越えるベアラチャネルを制御することを特徴とする。
【０００６】
本発明によれば、交換機の記憶装置内に１つのデータチャネルと、制御される２つを越えるベアラチャネルとの関係を記憶しているので、交換機側において１つのデータチャネルで２つを越えるベアラチャネルを制御することが可能になる。
【０００８】
また、本発明によれば、ベアラチャネルの配列に順序がつけられており、１群のベアラチャネルの先頭位置に配列されたベアラチャネルにはフラグを立て、対応するＩＳＤＮ基本インタフェースのデータチャネルを使用するので、制御が簡単になる。
【０００９】
【発明の実施の形態】
図によって本発明の実施の形態を説明する。
【００１０】
図１はシステム構成図で、１はＩＳＤＮ（サービス総合ディジタル網）交換機、２は通話路の交換接続をおこなう時分割スイッチ（ＴＳＷ）、３はＩＳＤＮ交換機全体を制御する中央制御装置（ＣＣ）、４はプログラム、データ、制御テーブル等を記憶する主記憶装置、５は外部付加装置と時分割スイッチ２を接続するインタフェース用のライン回路（ＩＬＣ）（以下、「ＩＳＤＮライン回路」と称す）、６―１および６―２はそれぞれ外部付加装置としてのアダプタ（ＡＤＰ１）およびアダプタ（ＡＤＰ２）、７―１から７―ｎはｎ個の端末装置（ＴＥ１）から（ＴＥｎ）、８は電話機を接続するためのライン回路（ＬＩＮ）、９は電話機である。
【００１１】
図１でＩＳＤＮライン回路（ＩＬＣ）５とアダプタ（ＡＤＰ１）６―１の間の接続は、アダプタ（ＡＤＰ１）６―１側の条件により１つのデータチャネル（以下、Ｄと略称する）と４つのベアラチャネル（以下、Ｂと略称する）、即ち、４Ｂ＋Ｄで接続されているとする。
【００１２】
また、ＩＳＤＮライン回路（ＩＬＣ）５とアダプタ（ＡＤＰ２）６―２の間の接続は、ＩＳＤＮ基本インタフェース、即ち、２Ｂ＋Ｄで接続されているとする。
【００１３】
ＩＳＤＮライン回路（ＩＬＣ）５とアダプタ（ＡＤＰ２）６―２の間の接続は、ＩＳＤＮ基本インタフェースで合っているので、以下は、アダプタ（ＡＤＰ１）６―１との接続について説明する。
【００１４】
電話機９から端末装置（ＴＥ１）７―１を呼ぶとライン回路（ＬＩＮ）８が起動され、呼制御情報を中央制御装置（ＣＣ）３に送る。
【００１５】
中央制御装置（ＣＣ）３は主記憶装置（ＭＭ）４に記憶されているプログラムやデータによって、ＩＳＤＮライン回路（ＩＬＣ）５を捕捉し、時分割スイッチ（ＴＳＷ）２を閉じてライン回路（ＬＩＮ）８とＩＳＤＮライン回路（ＩＬＣ）５を接続する。
【００１６】
ＩＳＤＮライン回路（ＩＬＣ）５はアダプタ（ＡＤＰ１）６−１と４Ｂ＋Ｄで接続されているので、中央制御装置（ＣＣ）３の指示によって４Ｂ＋Ｄの制御を行ない、アダプタ（ＡＤＰ１）６―１へ使用するＢチャネルと呼制御情報をＤチャネルを通して送る。
【００１７】
アダプタ（ＡＤＰ１）６―１は端末装置（ＴＥ１）７―１を呼出し通話ができる。
【００１８】
端末装置（ＴＥ１）７―１から電話機９を呼んだ時には、上記と逆の手順で電話機９を呼出すことができる。
【００１９】
図２はＩＳＤＮライン回路（ＩＬＣ）５とアダプタ（ＡＤＰ１）６―１およびアダプタ（ＡＤＰ２）６―２の接続を表した図である。
【００２０】
ＩＳＤＮライン回路（ＩＬＣ）５は２Ｂ＋Ｄのチャネルを４組持った場合を示しているが、何組持つかは設計上の問題であり、本発明の本質には関係がない。
【００２１】
アダプタの１例であるアダプタ（ＡＤＰ１）６―１は４Ｂ＋Ｄのインタフェースをもち、他の例であるアダプタ（ＡＤＰ２）６―２はＩＳＤＮの標準である２Ｂ＋ＤのＩＳＤＮ基本インタフェースをもっている。
【００２２】
ＩＳＤＮライン回路（ＩＬＣ）５とアダプタ（ＡＤＰ１）６−１およびアダプタ（ＡＤＰ２）６−２の接続は図２の如く行われるが、ＩＳＤＮライン回路（ＩＬＣ）５のＤ２は何処にも接続されない。
【００２３】
この様な接続をＩＳＤＮ交換機がどのように制御するかを次に説明する。
【００２４】
ＩＳＤＮライン回路（ＩＬＣ）５と、アダプタ（ＡＤＰ１）６―１の間の接続を要求する呼がＩＳＤＮ交換機側から生起すると、ＩＳＤＮ交換機１の中央制御装置（ＣＣ）３は呼制御情報受信処理を行い、Ｂ１、Ｂ２、Ｂ３、Ｂ４の内の空きチャネルを１チャネル選択する。
【００２５】
通話チャネルが選択されると、中央制御装置（ＣＣ）３は主記憶装置（ＭＭ）４内に記憶されている図３に示した通話チャネル制御データテーブルを見に行く。
【００２６】
このテーブルは予め定められた順序でベアラチャネルの収容位置が配列され、先頭位置に使用するデータチャネルと同一ＩＳＤＮ基本インタフェースのベアラチャネルが配置されており、データチャネルを使用するベアラチャネルであることを示すためのフラグ、データチャネル使用通話チャネルフラグが“１”になっている。
【００２７】
そして、その他の従属ベアラチャネルの前記フラグは“０”になる。
【００２８】
中央制御装置（ＣＣ）３はこの通話チャネル制御データテーブルにより、選択した通話チャネルの収容位置によって、該当欄を見に行き、データチャネル使用通話チャネルフラグが“０”であれば上位のフラグを、フラグが“１”になるまで見てゆき、フラグが“１”になっているベアラチャネルに対応したデータチャネルを使用して制御データをアダプタ（ＡＤＰ１）６―１側とやりとりする。
【００２９】
この様な方法を採ることによって例えばベアラチャネルＢ３を選択しても、データチャネルＤ１を使用することができる。そしてＤ２を使わなくてもＤ１でＢ１からＢ４を制御でき、アダプタ（ＡＤＰ１）６―１とインタフェースを合わせることができる。
【００３０】
アダプタ（ＡＤＰ２）６―２は２Ｂ＋Ｄの標準のＩＳＤＮ基本インタフェースをもっているが、制御を同じにするために図３の通話チャネル制御データテーブルを用いて制御する。
【００３１】
アダプタ側からの呼は、アダプタ側からデータチャネルを指定して使用ベアラチャネルを伝えてくるので、中央処理装置（ＣＣ）３は受信した呼制御データによって呼処理をすることができる。
【００３２】
以上説明した様に、複数の２Ｂ＋Ｄチャネルから構成されるＩＳＤＮライン回路（ＩＬＣ）５を、ｍＢ＋Ｄ（ｍは任意の整数）のインタフェースをもったアダプタと接続することが可能になる。
【００３３】
【発明の効果】
本発明によれば、ＩＳＤＮ交換機の、複数の２Ｂ＋Ｄチャネルから構成されるＩＳＤＮライン回路を、ｍＢ＋Ｄ（ｍは任意の整数）からなるインタフェースをもったアダプタと容易に接続することが可能になり、ＩＳＤＮの基本インタフェースに従わない、種々の付加装置を接続することを可能にする効果を有する。
【図面の簡単な説明】
【図１】本発明の実施の形態におけるシステム構成図である。
【図２】ＩＳＤＮ交換機側のインタフェースライン回路と、アダプタの接続の１例を示す接続図である。
【図３】任意のベアラチャネルと使用するデータチャネルの関係を示す制御データテーブルである。
【符号の説明】
１    ＩＳＤＮ交換機
２    時分割スイッチ（ＴＳＷ）
３    中央制御装置（ＣＣ）
４    主記憶装置（ＭＭ）
５    インタフェースライン回路（ＩＬＣ）
６―１    アダプタ（ＡＤＰ１）
６―２    アダプタ（ＡＤＰ２）
７―１    端末装置（ＴＥ１）
７―ｎ    端末装置（ＴＥｎ）
８    ライン回路（ＬＩＮ）
９    電話機
【図１】
0003870353.tif 000002
【図２】
0003870353.tif 000003
【図３】
0003870353.tif 000004